(57)【特許請求の範囲】
【請求項１】
電動機を内蔵した本体と、該本体に回動可能に保持され、前記電動機を動力として回転駆動する刃具と、前記本体に設けられ前記刃具の一部を覆う形状をしたソーカバーと、前記本体に取付けられ前記刃具の一部を下方に突出可能な開口部を有し切断作業時に被切断材上面を摺動可能なベースとを有する携帯用電動切断機において、
被切断材上面に前記刃具の切断方向を示すラインを表示する光線を照射する光線照射装置を前記ソーカバーに取付けると共に前記光線の照射範囲内で、前記光線が通過可能な穴を前記ソーカバーに設け、前記光線照射装置からの光線を刃具の切断方向延長線上であって前記ベース端部よりも切断方向前方位置に直接照射すると共に前記光線を前記穴を介して前記開口部内における前記刃具近傍を照射するようにしたことを特徴とする携帯用電動切断機。
【請求項２】
前記ソーカバー内に前記刃具外周上に回動可能に保持され、前記ベース下部の前記刃具外周を覆うよう常に付勢されたセーフティーカバーを設け、該セーフティーカバーに前記穴と連通し前記光線が通過可能な切り欠きを設けたことを特徴とする請求項１記載の携帯用電動切断機。
【請求項３】
前記光線照射装置を前記刃具の回転軸方向に移動可能としたことを特徴とする請求項１あるいは請求項２記載の携帯用電動切断機。
【発明の詳細な説明】
【０００１】
【発明の属する技術分野】
本発明は、切断作業補助用光線照射装置を備えた携帯用電動切断機に関するものである。以下、携帯用電動切断機を携帯用電気丸鋸を例に取り説明する。
【０００２】
【従来の技術】
従来の携帯用電気丸鋸は、図５及び図６を用いて説明する。なお、図５は従来の携帯用丸鋸の一例を示す正面図、図６は図５の平面図である。
【０００３】
従来の携帯用電気丸鋸には、図６に示すようにベース９の切断方向前方端部（図６の上方向端部）に刃具である鋸刃１の回転方向延長線と一致する案内面１２ａを有するガイドピース１２が設けられており、切断作業時にはこのガイドピース１２の案内面１２ａを、被切断材上に描かれたケガキ線１５に合わせることで、目的とする位置での切断が可能となるようにしている。
【０００４】
また、図６に示すようにベース９の開口部９ａと連通する個所には、鋸刃１の回転方向延長線と一致する形状をしたガイド部１３が設けられており、凹部形状をしたガイド部１３内にケガキ線１５が位置した状態で切断作業を行うことにより、鋸刃１の切断部と近接する位置で鋸刃１の回転方向延長線上にケガキ線１５が位置していることを把握でき、切断精度の向上を図ることができるようにしている。
【０００５】
携帯用電気丸鋸には、ＤＥ３９２２８４９公報に開示されているように、上記したガイドピース１２の変わりに切断方向前方側の被切断材上にレーザ光線を照射するレーザ光線発振器を備えた構成をし、レーザ光線を被切断材上のケガキ線１５等に合わせることで目的とする位置での切断が可能となるようにした携帯用電気丸鋸がある。
【０００６】
上記したようなレーザ光線発振器を備えた携帯用電気丸鋸では、ベース９の切断方向前方端部のみならず、更にベース９端部よりも切断方向前方側の広い範囲でケガキ線１５とレーザ光線とを合わせることができるので、より切断精度を向上させることが可能となる。また、夕刻や照明等が存在しない比較的暗所での切断作業時にあってもケガキ線合わせを容易に行うことができ、作業性の向上も図ることができるものであった。
【０００７】
また、上記したようにレーザ光線を被切断材上に照射させるレーザ光線発振器をベース９の切断方向前方端部付近に設け、レーザ光線を鋸刃１の切断部近傍に照射する構成をした携帯用電気丸鋸がＵＳ５３７５４９５公報に開示されている。このような構成をした携帯用電気丸鋸では、上記したレーザ光線発振器を備えた携帯用電気丸鋸と同様に暗所での切断作業時にあっても容易にケガキ線合わせを行うことができると共に、上記したガイド部１３と同様に鋸刃１の切断部近傍で鋸刃１の回転方向延長線上にケガキ線１５が位置していることを把握することができるという効果があるものである。
【０００８】
【発明が解決しようとする課題】
上記したように被切断材上に鋸刃１の回転方向延長線と一致したレーザ光線を照射させるレーザ光線発振器を備えた携帯用電気丸鋸では、鋸刃１の切断個所、すなわち鋸刃１の回転方向延長上を容易に把握することができると共に暗所での作業時にあっても容易にケガキ線合わせ等を行うことができるために、切断精度を向上させることができるという効果を有するものであるが、上記したＤＥ３９２２８４９公報に開示されているような構成をした携帯用電気丸鋸では、切断方向前方の被切断材上にレーザ光線を照射する構成、特にベース９よりも切断方向前方にレーザ光線を照射する構成であり、広範囲に渡ってレーザ光線をケガキ線１５に合わせることができ長い範囲を切断する作業に比較的適したものであるが、鋸刃１の切断部近傍においてレーザ光線を照射することができない構成であるため、鋸刃１の切断部近傍においてレーザ光線を利用して任意の位置を切断する作業を行うことができず、短い範囲を切断する作業には適していないという欠点があった。また、レーザ光線を鋸刃１の中央部、あるいはいずれかの側面に任意に合わせることができるように、鋸刃１の回転軸方向におけるレーザ光線の照射位置を調整することができる調整機構を備えた場合には、被切断材上に照射されるレーザ光線と鋸刃１の切断部とが離れた個所に位置するため、鋸刃１に対するレーザ光線の位置調整を容易に行うことができないという欠点があった。
【０００９】
また、上記したＵＳ５３７５４９５公報に開示されているような構成をした携帯用電気丸鋸では、鋸刃１の切断部近傍にレーザ光線を照射する構成であるために、上記したＤＥ３９２２８４９公報に開示されているような携帯用電気丸鋸とは逆に、鋸刃１の回転軸方向におけるレーザ光線の照射位置を調整することができる調整機構を備えた場合には、レーザ光線の位置調整を比較的容易に行うことができるものであると共に、鋸刃１の切断部とをレーザ光線を鋸刃１の回転軸方向に移動可能な構成を採用した際には、レーザ光線が鋸刃１の切断部位置調整を容易に行うことができるという効果があると共に鋸刃１の切断部近傍においてレーザ光線を利用して任意の位置を切断する作業を行うことができるものであるが、その反面、切断方向前方においてレーザ光線を照射することができないものであるため、広範囲に渡ってレーザ光線を被切断材上のケガキ線１５に合わせることができず、長い範囲を切断する作業には適していないとおいう欠点があった。
【００１０】
なお、上記した欠点を解消する手段として、切断方向前方部にレーザ光線を照射するレーザ光線照明装置と、鋸刃１の切断部近傍にレーザ光線を照射するレーザ光線照明装置とを設けた構成とすることが考えられるが、この構成とした場合、コスト高となってしまうと共に、鋸刃１の回転軸方向のレーザ光線の位置を決定することが１個でも比較的困難であるものが２個となってしまい、２個のレーザ光線を一致させることが容易でなく、組立性が悪いという問題がある。
【００１１】
本発明の目的は、上記欠点を解消し、１個のレーザ光線発振器を用いて鋸刃の切断部近傍及び切断方向前方部の両方においてレーザ光線を照射することができ、作業性の向上を図ることができると共に安価な携帯用電動切断機を提供することである。
【００１２】
【課題を解決するための手段】
上記目的は、被切断材上面に前記刃具の切断方向を示すラインを表示する光線を照射する光線照射装置を前記ソーカバーに取付けると共に前記光線の照射範囲内で、前記光線が通過可能な穴を前記ソーカバーに設け、前記光線照射装置からの光線を刃具の切断方向延長線上であって前記ベース端部よりも切断方向前方位置に直接照射すると共に前記光線を前記穴を介して前記開口部内における前記刃具近傍を照射する構成とすることにより達成される。
【００１３】
【発明の実施の形態】
本発明携帯用電気丸鋸の一実施形態を図１及び図２を用いて説明する。
【００１４】
本発明携帯用電気丸鋸は図１に示すように、ソーカバー３上には刃具である鋸刃１の回転延長線と一致し被切断材の切断方向前方上（詳細にはベース９の切断方向前方端部よりも切断方向前方の被切断材上）にレーザ光線４を発振するレーザ光線発振器５が設けられている。図中の符号１０はレーザ光線４によりベース９の切断方向前方端部及びベース９の端部よりも切断方向前方側の被切断材１６上に照射されたラインである。
【００１５】
また、図に示すようにソーカバー３には、ソーカバー３上に載置されたレーザ光線発振器５近傍に内部と連通する穴６が設けられている。穴６はレーザ光線発振器５から発振されるレーザ光線４の照射範囲内に設けられており、レーザ光線４は穴６を通過してソーカバー３内部において被切断材上を照射可能となっている。穴６を通過したレーザ光線４は被切断材１６上にライン１１を照射する。
【００１６】
上記したような構成とすることによって、１つのレーザ光線発振器５によってベース９よりも切断方向前方を照射することができると共に、鋸刃１の切断部（切断方向前方側の鋸刃１外周とベース９底面との交点Ａ）近傍についても照射することができるため、ベース９の端部よりも切断方向前方側に照射されたライン１０を被切断材１６上に描かれたケガキ線に広範囲に渡って合わせることができ、長い範囲を切断する際の切断精度を向上させることができると共に、鋸刃１の切断部近傍についてもライン１１が照射されるため、鋸刃１の切断部近傍においてレーザ光線４を利用して任意の位置を切断する作業が行うことができ、短い範囲を切断する際においても切断精度を向上させることができる。また、レーザ光線４がベース９の端部よりも切断方向前方側が照射されると共にベース９の開口部９ａ内における鋸刃１近傍部分も照射されるために、より広範囲に渡って被切断材１６上にレーザ光線４が照射されるために、切断精度の向上を図ることができる。
【００１７】
なお、図に示すようにソーカバー３上に載置されたレーザ光線発振器５は、ソーカバー３上面よりも、レーザ光線４を発振する側の端部（切断方向前方側端部）が反対側端部（切断方向後端側端部）よりもベース９に向かうように傾斜した状態で取付けられており、このような構成とすることによって、レーザ光線４の比較的広範囲分がソーカバー３内部に入り込み、鋸刃１の切断部近傍を比較的広範囲に照射することができるようになっている。
【００１８】
また、上記したレーザ光線発振器５には、レーザ光線４を鋸刃１の回転軸方向に平行移動させることが可能な調整機能が備えられている。この調整機能について図２を用いて以下説明する。
【００１９】
図に状態ではレーザ光線発振器５のレーザ光線４を発振する部分Ｃは鋸刃１の一方の側面側に位置した状態にある。レーザ光線発振器５は図に示すように取付け部５ａを介して移動部材２０に固定されている。移動部材２０にはレーザ光線発振器５を挟む位置にねじ穴２０ａと穴２０ｂが設けられている。移動部材２０のねじ穴２０ａには、ソーカバー３に固定される固定部材２２の貫通穴２２ａ内に挿入されたボルト２１がねじ嵌合していると共に、移動部材２０と固定部材２２との間にはスプリング２３、２４が配置されており、移動部材２０は常に固定部材２２から離れる方向に付勢されている。また、固定部材２２には貫通穴２２ｂにピン２５が圧入されており、ピン２５上を移動部材２０が摺動可能なようにピン２５が貫通穴２０ｂ内に配置されている。
【００２０】
上記したような構成としたことにより、ボルト２１が移動部材２０のねじ穴２０ａに対して締まる方向にボルト２１を回転させると、移動部材２０のボルト２１側はスプリング２３の付勢力に抗して固定部材２０に近づく方向に移動する。これに伴って移動部材２０のピン２５側はピン２５と貫通穴２０ｂとの係合によって固定部材２２に近づく方向に移動し、移動部材２０はボルト２１及びピン２５の軸方向に平行移動することとなる。また、ボルト２１が移動部材２０のねじ穴２０ａに対して緩まる方向にボルト２１を回転させると、移動部材２０のボルト２１側は固定部材２０から離れる方向に移動し、これに伴って移動部材２０のピン２５側はスプリング２４の付勢力により固定部材２０から離れる方向に移動する。ボルト２１及びピン２５は軸方向が鋸刃１の回転軸方向と一致するように設けられており、これによりレーザ光線４は鋸刃１の回転軸方向に平行移動することとなる。すなわち、ボルト２１の回転操作によってレーザ光線４の照射位置を鋸刃１の回転軸方向に平行移動させることができるので、作業状況等に応じてレーザ光線４を鋸刃１の中央部、一方の側面または他方の側面のいずれかに合わせることが可能となる。なお、図２に示す状態はレーザ光線４を発振する部分Ｃが鋸刃１の一方の側面に合う状態となっているが、この状態からボルト２１とねじ穴２０ａとのねじ嵌合を緩める方向にボルト２１を回転させれば、レーザ光線４の照射位置を鋸刃１の中央部もしくは他方の側面に合わせることができる。また、スプリング２３は、ボルト２１とねじ穴２０ａとのねじ部に存在する若干の隙間によってレーザ光線発振装置５が振動してしまうことを防止する目的で設けられている。
【００２１】
上記した携帯用電気丸鋸の実施形態では、レーザ光線４の照射位置を鋸刃１の回転軸方向に平行移動させることができるようにした構成であるが、これと共に図１に示すようにレーザ光線４が鋸刃１と重なることができる範囲に照射するような構成としたため、レーザ光線４の照射位置を鋸刃１のどの部分（中央部、一方の側面、他方の側面）に合わせるかでレーザ光線発振器５を鋸刃１の回転軸方向に平行移動させる際には、鋸刃１とレーザ光線４との重なり具合を目視しながらレーザ光線発振器５の調整位置を決定させることができるため、レーザ光線４の照射位置の設定作業が容易に行うことができるようなる。
【００２２】
なお、図１に示す実施形態では、レーザ光線４が鋸刃１と重なることができるような構成としたが、レーザ光線４が鋸刃１と重ならなくとも鋸刃１の切断部近傍においてレーザ光線４が照射される構成であれば、レーザ光線４と鋸刃１との距離が遠い従来の携帯用電気丸鋸よりもレーザ光線発振器５の調整位置の設定作業を行い易くすることができるものである。
【００２３】
また、上記したようにレーザ光線４の照射位置を鋸刃１の回転軸方向に平行移動させることができるようにした構成を採用する際にはソーカバー３に設けられる穴６の鋸刃１の回転軸方向の幅寸法は、レーザ光線４の幅寸法＋レーザ光線４が平行移動可能な寸法分の寸法に設定するのが望ましい。
【００２４】
また、携帯用電気丸鋸は切断作業時に、図７に示すように鋸刃１外周とベース９底面とが交差する交点Ａに対する接線方向２近傍に向かって切粉が飛散するものであるが、本実施形態では、図１に示すようにレーザ光線４が通過する穴６を前記接線方向２よりも切断方向後方に設けた構成としており、これにより穴６を介してレーザ光線発振器５に切粉が付着することを抑制することができ、レーザ光線発振器５の照射能力の低減を抑制するようにしている。
【００２５】
次に本発明携帯用電気丸鋸の他の実施形態を図１及び図３を用いて説明する。
【００２６】
一般的に携帯用電気丸鋸には、図１に示すように鋸刃１外周上に回動可能に保持され、図示しない付勢手段により常にベース９下部の鋸刃１外周を覆うように付勢されたセーフティカバー７が採用されている。セーフティカバー７は図示しない付勢手段によって常に図１に示す位置に回動するよう付勢されているものであるが、切断作業時には被切断材の端面に当接し付勢手段に抗する方向に回動し、図３に示す状態となる。
【００２７】
本実施形態では、図３に示すようにセーフティーカバー７が回動した状態にあってもレーザ光線発振器５から発振されるレーザ光線４が鋸刃１の切断部近傍を照射することができるように、セーフティーカバー７の一端部近傍に穴６と連通可能な切り欠き８を設けた構成をしている。
【００２８】
図４は本発明携帯用電気丸鋸の他の実施形態を示す要部断面正面図である。
【００２９】
図に示す実施形態は、レーザ光線発振装置５をソーカバー３内に配置させると共に、ソーカバー３にレーザ光線４の照射範囲内に位置し、レーザ光線４が通過可能な穴６を設けた構成をしたものである。穴６はソーカバー３内部を外部と連通可能なように形成されており、レーザ光線４は図1に示す実施形態と同様ベース９の切断方向前方端部及びベース９の端部よりも切断方向前方側の被切断材１６上を照射することができると共に、鋸刃１の切断部近傍についても照射することができるものである。
【００３０】
【発明の効果】
本発明によれば、レーザ光線発振器をソーカバーに取付け、ソーカバーにレーザ光線の照射範囲内で、レーザ光線が通過可能な穴を設けた構成としたことにより、１個のレーザ光線発振器を用いて鋸刃の切断部近傍及びベースの切断方向前方の両方においてレーザ光線を照射することができ、作業性の向上を図ることできると共に安価な携帯用電動切断機を提供することができるようになる。
【図面の簡単な説明】
【図１】本発明携帯用電動切断機の一実施形態を示す要部断面正面図。
【図２】図１のＢ−Ｂ線断面図。
【図３】本発明携帯用電動切断機の他の実施形態を示す要部断面正面図。
【図４】本発明携帯用電動切断機の他の実施形態を示す要部断面正面図。
【図５】従来の携帯用電気丸鋸の一例を示す正面図。
【図６】図５の平面図。
【図７】従来の携帯用丸鋸の切断状態の説明図。
【符号の説明】
１は刃具、２は接線、３はソーカバー、４は光線、５は光線照射装置、６は穴、７はセーフティカバー、８は穴、９はベース、１０はラインＡ、１１はラインＢ、１５はケガキ線、１６は被切断材、１７は交点である。
【図１】
0004081256.tif 000002
【図２】
0004081256.tif 000003
【図３】
0004081256.tif 000004
【図４】
0004081256.tif 000005
【図５】
0004081256.tif 000006
【図６】
0004081256.tif 000007
【図７】
0004081256.tif 000008